(57)【要約】【課題】  散水用のホースとその他のガーデニング用品を整理して収納することができるガーデンシンクを提供することを目的とする。【解決手段】  扉２ａを有する収納キャビネット２の上部に、シンク２ｂと立水栓２ａを設けたガーデンシンクにおいて、収納キャビネット２は散水ホース収納部４ｂおよびガーデニング用品収納部３を備えている。散水ホース収納部４ｂはガーデニング用品収納部３の下方に設けられると共に収納キャビネット２内で散水栓６ａに一端が連通された散水ホース５ｆを収納したことにより、ガーデニング用品の収納部を最大限に確保できることになり且つ普段から散水ホースを隠蔽させることが可能となった。【選択図】  図１
2005282282.tif 000002
【特許請求の範囲】
【請求項１】
扉を有する収納キャビネットの上部に、シンクと前記シンクに吐水する立水栓を設けたガーデンシンクにおいて、前記収納キャビネットは散水ホース収納部およびガーデニング用品収納部を備えてなり、前記散水ホース収納部は前記ガーデニング用品収納部の下方に設けられると共に前記収納キャビネット内で散水栓に一端が連通された散水ホースを収納したことを特徴とするガーデンシンク。
【請求項２】
前記散水ホース収納部を構成する前板に開閉自在な扉を設け、前記扉を開いて前記散水ホースの他端を引き出し可能としたことを特徴とする請求項１記載のガーデンシンク。
【請求項３】
前記散水ホース収納部の上面を、前記収納キャビネットの底板としてなり、前記底板を着脱自在としたことを特徴とする請求項１又は２に記載のガーデンシンク。
【請求項４】
扉を有する収納キャビネットの上部に、シンクと前記シンクに吐水する立水栓を設けたガーデンシンクにおいて、前記収納キャビネットの内部に、ガーデニング用品収納部と、散水栓に一端が接続された散水ホースを収納する散水ホース収納部を設けたことを特徴とするガーデンシンク。
【請求項５】
前記収納キャビネットの内部を左右に分割する仕切り板を設け、前記仕切り板の一方側を前記ガーデニング用品収納部に、他方側を散水ホース収納部としたことを特徴とする請求項４記載のガーデンシンク。
【請求項６】
前記散水ホース収納部にホースリールを出し入れ自在に内蔵したことを特徴とする請求項４又は５に記載のガーデンシンク。
【請求項７】
前記散水ホース収納部に、前記ホースリールをスライド可能に取付けたスライドレールを固定したことを特徴とする請求項６に記載のガーデンシンク。
【発明の詳細な説明】
【技術分野】
【０００１】
本発明は、屋外設置用のガーデンシンクに関する発明である。
【背景技術】
【０００２】
従来から、ガーデニングを快適に進めるために、シンク作業用の立水栓をシンクの上に、散水ホースを繋ぐ水栓をシンクの下に、別々に設けたガーデンシンクが提案されている（例えば、特許文献１参照）。このようなガーデンシンクでは、立水栓を楽な作業で使うことができるという利点があった。しかし、特許文献１では、散水ホースやバケツ、スコップ等のガーデニング用品を見栄えよく収納することができない。
そのような問題に対して、シンクの下に収納キャビネットを備えたガーデンシンクも提案されている（例えば、特許文献２参照）。これによれば、収納キャビネットの中に、散水用の水栓と他のガーデニング用品を収納することができる。
【特許文献１】特開2000-204612号公報
【特許文献２】特開平7-259146号公報
【発明の開示】
【発明が解決しようとする課題】
【０００３】
しかし特許文献２においては、収納キャビネットの内部は散水用のホースの収納と他のガーデニング用品（バケツ、スコップ、・・）の収納を兼用することになる。しかし、他のガーデニング用品を整理して収納することができず、シンク回りに散水ホースあるいはガーデニング用品を雑然と置かざるを得ないという問題があった。
本発明は、上記問題を解決するためになされたもので、散水用のホースとその他のガーデニング用品を整理して収納することができるガーデンシンクを提供することを目的とする。
【課題を解決するための手段】
【０００４】
上記目的を達成するために請求項１記載の発明によれば、扉を有する収納キャビネットの上部に、シンクと前記シンクに吐水する立水栓を設けたガーデンシンクにおいて、前記収納キャビネットは散水ホース収納部およびガーデニング用品収納部を備えてなり、前記散水ホース収納部は前記ガーデニング用品収納部の下方に設けられると共に前記収納キャビネット内で散水栓に一端が連通された散水ホースを収納したことにより、ガーデニング用品の収納部を最大限に確保できることになり且つ普段から散水ホースを隠蔽させることが可能となった。
【０００５】
また、請求項２記載の発明によれば、請求項１記載の発明に加え、前記散水ホース収納部を構成する前板に開閉自在な扉を設け、前記扉を開いて前記散水ホースの他端を引き出し可能としたことにより、散水ホースの巻き取り器を引き出さずに散水ホースを引き出し可能とした。
【０００６】
また、請求項３記載の発明によれば、請求項１又は請求項２記載の発明に加え、前記散水ホース収納部の上面を、前記収納キャビネットの底板としてなり、前記底板を着脱自在としたことにより、引き出し機構が壊れても底板を外すことにより散水ホースのメンテナンスが可能となった。
【０００７】
上記目的を達成するために請求項４記載の発明によれば、扉を有する収納キャビネットの上部に、シンクと前記シンクに吐水する立水栓を設けたガーデンシンクにおいて、前記収納キャビネットの内部に、ガーデニング用品収納部と、散水栓に一端が接続された散水ホースを収納する散水ホース収納部を設けたことにより、ガーデニング用品と散水ホースが機能的に収納することが可能となった。
【０００８】
また、請求項５記載の発明によれば、請求項４記載の発明に加え、前記収納キャビネットの内部を左右に分割する仕切り板を設け、前記仕切り板の一方側を前記ガーデニング用品収納部に、他方側を散水ホース収納部としたことにより、普段使わない散水ホースとガーデン用品との区分けを可能と整理を容易とした。
【０００９】
また、請求項６記載の発明によれば、請求項４又は請求項５記載の発明に加え、前記散水ホース収納部にホースリールを出し入れ自在に内蔵したことにより、散水ホースの不具合が発生した場合でも、メンテナンスが容易であり、また、散水ホースを巻き取るときに作業が容易となることが可能となった。
【００１０】
また、請求項７記載の発明によれば、請求項６記載の発明に加え、前記散水ホース収納部に、前記ホースリールをスライド可能に取付けたスライドレールを固定したことにより、作業者が片手で重い散水ホースの巻き取り器の出し入れが容易となり、散水作業が可能となった。
【発明の効果】
【００１１】
本発明によれば、屋外設置用のガーデンシンクとして、ガーデニング用品の収納と散水ホースの収納について優れた作業性、収納性を発揮するという効果がある。
【発明を実施するための最良の形態】
【００１２】
以下、本発明の実施例を図面に基づき具体的に説明する。
図１に本発明のガーデンシンクの第１実施例を斜視図で示し、図２に第１実施例のガーデンシンクから散水ホースを取り出した状態を示し、図３に第１実施例のガーデンシンクの要部概略横断面を示す。また、図４に本発明のガーデンシンクの第２実施例を示す。
【００１３】
本発明の第１実施例は、図１、図２、図３に示すように、シンク部１と収納キャビネット２、台座４にてガーデンシンクが概略構成されている。シンク部１はガーデンシンクの上部に設けられ、立水栓１ａとシンク１ｂが設けられている。その下部には、開閉式の扉２ａを備えた収納キャビネット２が設けられている。収納キャビネット３の内部はガーデニング用品収納部３とされており、その下部には台座４が設けられている。台座４の前面は図２から明らかなように蹴込み部４ａを構成し、台座４の内部を散水ホース収納部４ｂとしている。
【００１４】
散水ホース収納部４ｂは上方を開放した箱体状であり、中に散水ホース５ｆを巻き取った散水ホースリール５を収納するようになっている。散水ホース収納部４ｂの前板となる蹴込み部４ａに取っ手４ｃを、底板に車輪４ｄを、左右側板に引き出し用のレール４ｅを設けており、台座部分から散水ホース収納部４ｂを引き出すことができる。また、蹴込み部４ａの一部には散水ホース５ｆの取り出し扉４ｆが設けてある。
【００１５】
次に、図１ならびに図３を参照して、散水ホース５ｆへの給水機構について説明する。
散水ホース収納部４ｂの後板から底板にかけて切り欠き４ｇが形成されており、その切り欠き４ｇに散水ホースリール５の給水部５ａを収める。給水部５ａは、リール５ｄの中心に設けられており、リール５ｄに対して回動自在な構成となっている。給水部５ａは、ガーデニング用品収納部３内にある立水栓用の給水管６の途中に設けた散水栓６ａに給水ホース８によって連通させる。給水配管６には立水栓用の止水栓６ｂが散水栓６ａの上流側に設けられており、この止水栓６ｂを止水側にすることにより、散水栓６ａも止水状態となる。なお、給水ホース８は、散水ホース収納部４ｂを引き出すのに十分な余剰長さを有している。
また、ガーデニング用品収納部３には、シンク１ｂからの排水管７も配置されている。
【００１６】
散水ホースリール５は、リール５ｄと固定部材５ｂ、５ｃで概略構成される。リール５ｄの中心にある回転軸（図示無し）と固定部材５ｂ、５ｃの半円状に形成されている軸受け（図示無し）が、リール５ｄの回転軸を挟み込むようにして固定することによりリール５ｄは回転可能となる。
【００１７】
散水ホース５ｆは、リール５ｄの中心軸に構成されたホース給水口５ｇと散水ホース５ｆの一端を接続して散水栓６ａに連通することで通水が可能となる。散水ホース５ｆは巻き取り状態でリール５ｄに収納されている。散水ホース５ｆの他端には、水の通水・止水の操作可能な機構を有する散水ノズル７が取り付けれられている。
【００１８】
散水ホースリール５の散水ホース収納部４ｂとガーデニング用品収納部３は、ガーデニング用品収納部３の底板３ｂによって仕切られている。この底板３ｂは、収納キャビネット２の側面に設けられた取付金具３ｃの上に載置されており、取り外しが可能となっている。ホースリール５も散水ホース５ｆがからまった場合には、この底板３ｂを外せば散水ホース収納部４ｂを上から覗くことができるので、簡単な散水ホース５ｆの絡みを解くことができる。
【００１９】
次に、このガーデンシンクの使用方法を説明する。ガーデニング用品収納部３内の散水給水栓６ａを開け、蹴込み部４ａの散水ホース取り出し扉４ｆを開け、散水ホース５ｆ（散水ノズル７付き）を引きだし、散水ノズル７を通水操作し庭に散水する。散水が終了したら、散水ノズル７を止水操作し、散水ホース収納部４ｂを取っ手４ｃを引いて引き出し、散水ホースリール５のリール部中心にある巻き取りハンドル５ｅを回転操作させることによりリール５ｄが回転し、散水ホース５ｆを巻き取り、巻き取りが終了したら再度取っ手４ｃにて散水ホース収納部４ｂを台座４に収納させる。
【００２０】
図４は本発明の第２実施例である。なお、図４（ａ）はガーデンシンクの収納扉３０ｃを説明用に取り外した図である。
ガーデンシンクの上部にはシンク部２０が設けられており、シンクと立水栓２０ａが設けられている。シンク部２０の下部に設けられる収納キャビネット３０は、内部空間を左右に仕切る仕切り板３０ａを有しており、仕切り板３０ａにてガーデニング用品収納部４０と散水ホース収納部５０を分割している。ガーデニング用品収納部４０は、横仕切り板４０ａにより上下にガーデニング用品収納部４０を収納棚として分けることが可能であり適宜上下に横仕切り板４０ａの位置を変更することが可能である。散水ホース収納部５０には、図示せぬスライドレールを介して散水ホースリール６０が取付けられ収納されており、また散水ホース収納部５０にシンクの排水管（図示無し）と給水管７０が構成されている。給水管７０には、散水栓７０ａが設けられており散水ホースリール６０へ接続することが可能となっている。
【００２１】
図４（ｂ）は、散水ホース収納部５０側の収納扉３０ｃを閉め、ガーデニング用品収納部４０側の収納扉３０ｃを開けている図である。ガーデニング用品のみを使用する場合は、散水ホース収納部側の収納扉３０ｃは開けなくてよい。
【００２２】
図４（ｃ）は、散水ホースリールの取り出し方法を説明する図である。散水ホースリール側の収納扉３０ｃを開け、散水ホースリール設置台８０をスライドレールや車輪８０ａ等を使いガーデンシンクの前面に引き出す。散水ホース６０ｆの先端には通水・止水操作が可能な散水ノズル９０が設けられていている。散水作業終了後に巻き取りハンドル６０aにて散水ホース６０ｆを巻き取り、散水ホース収納部５０に戻せばよい。
【図面の簡単な説明】
【００２３】
【図１】本発明のガーデンシンクの第１実施例の斜視図
【図２】本発明のガーデンシンクからの散水ホースの取り出し状態を示す図
【図３】本発明のガーデンシンクの概略横断面を示す図
【図４】本発明のガーデンシンクの第２実施例を説明する図
【符号の説明】
【００２４】
１ａ…立水栓
１ｂ…シンク
２…収納キャビネット
２ａ…扉
３…ガーデニング用品収納部
３ｂ…底板
４ｂ…散水ホース収納部
４ｆ…取り出し扉
５ｄ…ホースリール
５ｆ…散水ホース
６ａ…散水栓
２０ａ…立水栓
３０…収納キャビネット
３０ａ…仕切り板
３０ｃ…扉
４０…ガーデニング用品収納部
５０…散水ホース収納部
６０…ホースリール
６０ｆ…散水ホース
７０ａ…散水栓
【図１】
2005282282.tif 000003
【図２】
2005282282.tif 000004
【図３】
2005282282.tif 000005
【図４】
2005282282.tif 000006